(57)【要約】      （修正有）【課題】整髪機能を備え、筆記用具による直線の描画を補助する携帯可能な直線描画補助具を提供する。【解決手段】基部２と、基部の一端に設けられ、筆記用具の移動を基部の長手方向に沿った直線方向に規制し、かつ長手方向に沿って目盛り７を設けた移動規制部３と、基部の他端に設けられ、先端が基部の長手方向に直交する方向に向かって配置された複数の櫛歯５からなる櫛部４と、を備える。【選択図】図１
0003187546.tif 000002
【実用新案登録請求の範囲】
【請求項１】
筆記用具による直線の描画を補助する直線描画補助具であって、
基部と、
前記基部の一端に設けられた、前記筆記用具の移動を当該基部の長手方向に沿った直線方向に規制する移動規制部と、
前記基部の他端に設けられた、先端が当該基部の長手方向に直交する方向に端部へ向かって配置された複数の櫛歯からなる整髪機能を有する櫛部と、
を備えたことを特徴とする直線描画補助具。
【請求項２】
前記基部の前記移動規制部の近傍に、当該基部の長手方向に沿って目盛りを設けたことを特徴とする請求項１に記載の直線描画補助具。
【請求項３】
前記移動規制部は、前記基部の長手方向と直交する方向に、端部へ向かうほど当該基部の幅が小さくなるようにテーパ部を設けたことを特徴とする請求項１または２に記載の直線描画補助具。
【考案の詳細な説明】
【技術分野】
【０００１】
この考案は、筆記用具による直線の描画を補助する直線描画補助具に関する。
【背景技術】
【０００２】
書類上に、修正などのための二重線や、記載部分を強調するためのアンダーラインを引く場合、フリーハンドで描画するのは難しく、うまく描画できない場合が多い。また、フリーハンドで描画した場合は、直線が曲がってしまったり、直線が波打ってしまったりして、見た目がよくない。特に公式の書類やビジネスでやりとりされる書類に記載された文字などを削除する際に直線を用いる場合には、通常、定規などの補助具を用いておこなわれることが一般的である。
【０００３】
また、従来、髪の毛の長さを測るために目盛りをつけたクシが提案されている（たとえば、下記特許文献１、２参照。）。
【先行技術文献】
【特許文献】
【０００４】
【特許文献１】実開昭５７−１２１０４号公報
【特許文献２】特開２００７−３２５８８９号公報
【考案の概要】
【考案が解決しようとする課題】
【０００５】
しかしながら、外出先などで急に直線を描画しなければならない場合、フリーハンドでの描画を避けるために、他の代用品を用いておこなわなければならない。また、そのためだけに、定規などを常に携行するのも余り効率的ではない。
【０００６】
一方、櫛は、ビジネスマンの身だしなみとして、通常、常に携行する場合が多く、上記代用品として用いられる場合が想定されるが、櫛の背部が直線になっていないものが多く、直線をきれいに描画できなかったり、描画に失敗してしまうという問題があった。
【０００７】
また、上記先行技術文献に記載された技術は、いずれも、美容師が用いる櫛であり、また、直線描画をするための補助具としての機能を備えてはおらず、直線を容易にかつ確実に描画することができるとは限らない。
【０００８】
この考案は、上述した従来技術による問題点を解消するため、常に携帯することができ、容易に筆記用具による直線の描画を補助することができる直線描画補助具を提供することを目的とする。
【課題を解決するための手段】
【０００９】
上述した課題を解決し、目的を達成するため、請求項１の考案にかかる直線描画補助具は、筆記用具による直線の描画を補助する直線描画補助具であって、基部と、前記基部の一端に設けられた、前記筆記用具の移動を当該基部の長手方向に沿った直線方向に規制する移動規制部と、前記基部の他端に設けられた、先端が当該基部の長手方向に直交する方向に端部へ向かって配置された複数の櫛歯からなる整髪機能を有する櫛部と、を備えたことを特徴とする。
【００１０】
また、請求項２の考案にかかる直線描画補助具は、請求項１に記載の考案において、前記基部の前記移動規制部の近傍に、当該基部の長手方向に沿って目盛りを設けたことを特徴とする。
【００１１】
また、請求項３の考案にかかる直線描画補助具は、請求項１または２に記載の考案において、前記移動規制部は、前記基部の長手方向と直交する方向に、端部へ向かうほど当該基部の幅が小さくなるようにテーパ部を設けたことを特徴とする。
【考案の効果】
【００１２】
本考案にかかる直線描画補助具によれば、直線描画をする機能と整髪機能の両方の機能を実現することができるという効果を奏する。
【図面の簡単な説明】
【００１３】
【図１】図１は、本考案の直線描画補助具を示す正面図である。
【図２】図２は、本考案の直線描画補助具を示す断面図である。
【図３−１】図３−１は、本考案の直線描画補助具を用いた直線描画方法の一例を示す説明図（その１）である。
【図３−２】図３−２は、本考案の直線描画補助具を用いた直線描画方法の一例を示す説明図（その２）である。
【図４】図４は、本考案の直線描画補助具を用いた整髪方法の一例を示す説明図である。
【図５】図５は、本考案の直線描画補助具をケースに収納した状態を示す説明図である。
【考案を実施するための形態】
【００１４】
以下に添付図面を参照して、この考案にかかる直線描画補助具の好適な実施の形態を詳細に説明する。
【００１５】
（直線描画補助具の構成）
図１は、本考案の直線描画補助具を示す正面図である。図１において、筆記用具による直線の描画を補助する直線描画補助具１は、基部２と、基部２の一端（図１における「Ａ」側）に設けられた移動規制部３と、基部２の他端（図１における「Ａ’」側）に設けられた、複数の櫛歯５からなる櫛部４と、把持部６から構成される。
【００１６】
基部２の長手方向の長さは、たとえば１５６ｍｍ、長手方向と直交する方向の長さは、２６ｍｍ〜３３ｍｍ程度であるとよい。図１では、長手方向と直交する方向の長さは、把持部６側とその反対側とでほぼ同じとしているが、たとえば、把持部６側が３３ｍｍ程度、その反対側が２６ｍｍ程度であってもよい。
【００１７】
基部２の材質は、移動規制部３による直線描画機能、櫛部４による整髪機能を達成するための硬度を備えたものであればよい。たとえば、プラスチック、べっ甲、セラミック、つげや竹などの木材、アルミニウムやチタンなどの金属であってもよい。ノベルティーグッズとする場合は、対費用効果を考慮して材質を選定することができる。基部２は、移動規制部３、櫛部４、把持部６を一体形成により同一の材質で作成できる。また、移動規制部３、櫛部４、把持部６をそれぞれ異なった材質によって作成してもよい。
【００１８】
移動規制部３は、筆記用具の移動を当該基部の長手方向に沿った直線方向に規制する。直線描画補助具１の基部２を用紙の上に置いて基部２を押させた状態で、移動規制部３、すなわち図１における基部２の「Ａ」側の端部の直線部分に筆記用具の先端を当てて、当該直線部分に沿って筆記用具を移動させることによって、用紙に直線を描画することができる。筆記用具は、ボールペンのほか、鉛筆、シャープペンシル、万年筆、サインペン、蛍光マーカーなどであってもよい。
【００１９】
櫛部４は、先端が基部２の長手方向に直交する方向に端部（図１における「Ａ’」側）へ向かって配置された複数の櫛歯５からなる。このように複数の櫛歯５が設けられることによって、櫛部４は、頭髪を整える整髪機能を有する。櫛歯５の幅は、たとえば０．５ｍｍ程度であり、また、櫛歯５の間隔は、たとえば１ｍｍ程度である。櫛歯５の幅および間隔は、頭髪の状態や整髪の仕方によって変更することができる。
【００２０】
また、基部２は、図１に示すように、把持部６を備えてもよい。把持部６は、宣伝広告用スペースとし、文字や画像などを印刷してもよい。これによって、本考案の直線描画補助具１を宣伝広告用のノベルティーグッズとして活用させることができる。図示を省略するが、把持部６は備えていなくてもよく、その分、櫛部４を基部２の長手方向のほぼ全体にわたって設けてもよい。
【００２１】
また、移動規制部３は、その近傍に、基部２の長手方向に沿って目盛り７を設けるとよい。図１において、目盛りは、１ミリ単位で、１５ｃｍの長さにわたって設けている。これにより、移動規制部３は、定規として、長さを計る機能を備える。また、移動規制部３が定規のように見えることから、本考案にかかる直線描画補助具１が、単に整髪機能のみを備えていると認識し、直線描画機能を備えているということを知らない者に対しても、移動規制部３が直線となっており、直線を引くのに利用できるということを容易に知らしめることができる。すなわち、目盛り７がついており、定規としても機能を有していることから、移動規制部３は直線であり、直線を描画するのに便利であると、利用者に容易に想像させることができるという効果を奏する。
【００２２】
また、図示を省略するが、把持部６の文字、画像、および移動規制部３の目盛り７は、基部２の両面に設けてもよい。両面に設ける場合には、把持部６の文字、画像の内容を変えてもよい。また、目盛り７のスケールを変更してもよい。表面には、目盛り７を１ミリ単位で設けるとともに、その裏面には、目盛り７をたとえば５ミリ単位で設けるようにしてもよい。
【００２３】
図２は、本考案の直線描画補助具を示す断面図である。具体的には、図１において、矢印Ａ−Ａ’の方向から見た断面図である。図２において、基部２は、移動規制部３側の端部の幅（厚さ）が、たとえば４ｍｍ程度であり、櫛部４側の端部の幅（厚さ）が、たとえば２．５ｍｍ程度であるとよい。
【００２４】
また、移動規制部３は、基部２の長手方向と直交する方向（図２における右側方向）に、端部へ向かうほど基部２の幅（厚さ）が小さくなるようにテーパ部８を設けている。このテーパ部８は、たとえば、３０度〜４５度程度が好ましいが、これに限定されるものではない。
【００２５】
このように、移動規制部３が、テーパ部８を設けることによって、筆記用具を水平に置かれた用紙に対してほぼ垂直方向に立てなくても、用紙の所望の位置、すなわち移動規制部３の端部に近い位置にペン先を当てることができる。すなわち、テーパ部８を設けることにより、筆記用具を作業者の手前側に傾けた状態でも、筆記用具の先端が移動規制部３の端部から離れることがなく、それによって、所望の位置、すなわち、移動規制部３の端部付近に確実に直線が描画できる。
【００２６】
つぎに、本考案にかかる直線描画補助具による直線描画方法について説明する。図３−１および図３−２は、本考案の直線描画補助具を用いた直線描画方法の一例を示す説明図である。図３−１は直線の描画前、図３−２は直線描画後の状態を示している。
【００２７】
図３−１において、直線描画補助具１の利用者は、まず、用紙の上に、本考案の直線描画補助具１を置いて、左手で櫛部４を上から押さえる。その際、用紙の上の直線を描画したい位置に移動規制部３の先端を合わせる。そして、右手で筆記用具９を持って、筆記用具９のペン先を移動規制部３の先端に沿わせて、移動規制部３の直線部分に沿って、左側から右側方向へ筆記用具９を移動させる。左利きの場合には、上記とは反対となる。
【００２８】
そうすると、図３−２に示すように、移動規制部３の直線部分に沿って、直線が描画される。移動規制部３の端部が直線になっているので、端部に沿って筆記用具を移動させることによって、用紙に直線が容易に描画できる。また、同じ長さの直線を描画したい場合は、移動規制部３の目盛り７を確認しながら、描画するとよい。このようにして、本考案の直線描画補助具１を用いて直線を描画する。
【００２９】
左手で櫛部４を押さえるので、通常の定規と比べて、櫛歯５と用紙との間に摩擦が生じやすくなり、直線を描画する際に直線描画補助具１自体がずれにくくなる。それによって、直線の描画を失敗する可能性を低くすることができる。
【００３０】
図４は、本考案の直線描画補助具を用いた整髪方法の一例を示す説明図である。図４に示すように、本考案の直線描画補助具１を用いて整髪する場合は、たとえば直線描画補助具１の把持部６を把持し、櫛部４を頭髪に当ててとかすことによって、櫛歯５の間に頭髪が挟まることで、整髪がおこなわれる。
【００３１】
図５は、本考案の直線描画補助具をケースに収納した状態を示す説明図である。図５に示すように、本考案の直線描画補助具１をケースに収納することによって、本考案の直線描画補助具１を鞄や上着のポケットなどに入れた場合であっても、櫛部４の櫛歯５の破損を防止することができ、整髪機能を損なうことがない。また、移動規制部３が破損したり変形したりすることを防止することができ、直線描画機能を損なうことがない。また、図示は省略するがケース１０の表面に宣伝広告用の文字や画像を印刷などにより記載するようにしてもよい。また、ケース１０の表面に直線描画補助具としての使用方法について記載してもよい。
【００３２】
以上のように、整髪するための櫛として本考案にかかる直線描画補助具１を携帯することによって、必要なときに容易にかつ確実に直線を描画することができる。これによって、必要なときにその都度、定規などを探さなくても、書類に取消し線やアンダーラインをよりきれいに描画することができる。
【００３３】
また、従来、ホテルなどのアメニティーとして用意されている櫛であれば、一度あるいは数度使用されるだけで廃棄されることになる場合が多い。しかし、直線描画補助具であることによって、その利便性を考慮し、廃棄されずに携行されることが期待できる。その分、把持部６などに記載した宣伝広告機能をより長く持続させることができる。したがって、ノベルティーグッズとして最適である。
【００３４】
さらに、ケース１０をつけて、ケース１０に直線描画補助具１を収納させて携帯させることにより、直線描画補助具１をより長く携帯させることができ、さらに、宣伝広告機能をより長く持続させることができる。
【符号の説明】
【００３５】
１  直線描画補助具
２  基部
３  移動規制部
４  櫛部
５  櫛歯
６  把持部
７  目盛り
８  テーパ部
９  筆記用具
１０  ケース
0003187546.tif 000003
【手続補正書】
【提出日】平成25年10月2日(2013.10.2)
【手続補正１】
【補正対象書類名】図面
【補正対象項目名】全図
【補正方法】変更
【補正の内容】
【図１】
0003187546.tif 000004
【図２】
0003187546.tif 000005
【図３−１】
0003187546.tif 000006
【図３−２】
0003187546.tif 000007
【図４】
0003187546.tif 000008
【図５】
0003187546.tif 000009